(57)【要約】【課題】野地板への固定がし易く、軒側の端部が浮き上がるのを抑える屋根構造を提供する。【解決手段】野地板１の上面に設けられる凹凸屋根パネル２と、その軒側の端部に設けられる先端部材３と、を備えた屋根構造である。凹凸屋根パネル２が野地板１に載置された状態で、先端部材３の上覆い片３１が凹凸屋根パネル２の凸部２４の上片２１を覆い、先端部材３の側覆い片３２が凹凸屋根パネル２の側片２２を覆い、先端部材３の下覆い片３３が凹凸屋根パネル２の凹部２５の底片２３を覆い、上覆い片３１および下覆い片３３からこれらと鈍角をなす導水片３４が軒側に突出するように、先端部材３が凹凸屋根パネル２の軒側の端部に設けられる。釘またはビス等の固着具４が、先端部材３および凹凸屋根パネル２を介して野地板１に打ち込まれる。【選択図】図１
2014080723.tif 000002
【特許請求の範囲】
【請求項１】
野地板と、
前記野地板の上面に設けられる凹凸屋根パネルと、
前記凹凸屋根パネルの軒側の端部に設けられる先端部材と、を備えた屋根構造であって、
前記凹凸屋根パネルは、上片と、前記上片の軒方向の両側端部から下方に連設される側片と、前記側片の下端部から軒方向に連設される底片とを備え、前記上片とその軒方向の両側の前記側片とで構成される凸部と、前記底片とその軒方向の両側の前記側片とで構成される凹部と、を軒方向に交互に備え、
前記先端部材は、上覆い片と、前記上覆い片の軒方向の両側端部から下方に連設される側覆い片と、前記側覆い片の下端部から軒方向に連設される下覆い片と、前記上覆い片および前記下覆い片の軒側の端部から軒側に向けて前記上覆い片および前記下覆い片に対して鈍角をなすように突出する導水片と、を備え、
前記凹凸屋根パネルが前記野地板に載置された状態で、前記上覆い片が前記上片の上面を覆い、前記側覆い片が前記側片を覆い、前記下覆い片が前記底片の上面を覆うように前記先端部材が前記凹凸屋根パネルの軒側の端部に設けられ、固着具が前記先端部材および前記凹凸屋根パネルを介して前記野地板に打ち込まれることを特徴とする屋根構造。
【請求項２】
前記固着具が、頭部の軸部側にパッキンを備えたパッキン付きビスであることを特徴とする請求項１記載の屋根構造。
【発明の詳細な説明】
【技術分野】
【０００１】
本発明は、屋根構造に関する。
【背景技術】
【０００２】
建造物の野地板上にスレート等の屋根材が設けられた屋根構造が知られている（例えば特許文献１参照）。この屋根構造では、野地板と屋根材との間の通気性が良くなく、太陽光発電パネルが設置される場合、発電性能が低下してしまうという問題がある。そこで、凸部と凹部とを軒方向に交互に有する凹凸屋根パネルを用い、この凹凸屋根パネルを野地板上に設置して、凸部と野地板との間に通気空間を形成することが考えられている。
【０００３】
これは、図４に示すように、野地板１の軒側の端部上に固定部材５が載置されて固定され、この固定部材に対して凹凸屋根パネル２が固定されるものが考えられている。図中の符号２０は通気空間を、２５は凹凸屋根パネルの凹部を、２４は凹凸屋根パネルの凸部を、５１は固定部材に設けられる面戸を、５２は固定部材の先端に設けられる水切りを示す。
【０００４】
固定部材５は、その挿通孔５３を介して野地板１に固着具（不図示）が打ち込まれることで、野地板１に固定される。凹凸屋根パネル２は、凹部２５の底片２３から軒側に向けて延出片６が連設されている。この凹凸屋根パネル２は、野地板１上に載置されて、図４、延出片６が固定部材５の水切り５３を巻き込むように折り曲げられて、固定部材５に対して固定される。これにより、凹凸屋根パネル２は固定部材５を介して野地板１に固定されるものである。
【先行技術文献】
【特許文献】
【０００５】
【特許文献１】特開２００２−１６７９２７号公報
【発明の概要】
【発明が解決しようとする課題】
【０００６】
しかしながら、図４に示す従来例にあっては、凹凸屋根パネル２を野地板１に固定するにあたり、作業者は、凹部２５毎に形成されている延出片６を、固定部材５を巻き込むようにして折り曲げる必要があり、この作業が面倒で手間と時間がかかるものとなっていた。
【０００７】
また、凸部２５は、固定部材５や野地板１に直接固定されていないため、凸部２５が上方に浮き上がる惧れがあるものであった。
【０００８】
本発明は前記問題点に鑑みて発明したものであって、その目的とするところは、野地板への固定がし易く、軒側の端部が浮き上がるのを抑える屋根構造を提供することにある。
【課題を解決するための手段】
【０００９】
前記課題を解決するために本発明を、下記構成を具備した屋根構造とする。
【００１０】
野地板と、前記野地板の上面に設けられる凹凸屋根パネルと、前記凹凸屋根パネルの軒側の端部に設けられる先端部材と、を備えた屋根構造であって、前記凹凸屋根パネルは、上片と、前記上片の軒方向の両側端部から下方に連設される側片と、前記側片の下端部から軒方向に連設される底片とを備え、前記上片とその軒方向の両側の前記側片とで構成される凸部と、前記底片とその軒方向の両側の前記側片とで構成される凹部と、を軒方向に交互に備え、前記先端部材は、上覆い片と、前記上覆い片の軒方向の両側端部から下方に連設される側覆い片と、前記側覆い片の下端部から軒方向に連設される下覆い片と、前記上覆い片および前記下覆い片の軒側の端部から軒側に向けて前記上覆い片および前記下覆い片に対して鈍角をなすように突出する導水片と、を備え、前記凹凸屋根パネルが前記野地板に載置された状態で、前記上覆い片が前記上片の上面を覆い、前記側覆い片が前記側片を覆い、前記下覆い片が前記底片の上面を覆うように前記先端部材が前記凹凸屋根パネルの軒側の端部に設けられ、固着具が前記先端部材および前記凹凸屋根パネルを介して前記野地板に打ち込まれることを特徴とする。
【００１１】
また、前記固着具が、頭部の軸部側にパッキンを備えたパッキン付きビスであることが好ましい。
【発明の効果】
【００１２】
本発明の屋根構造は、野地板への固定がし易く、軒側の端部が浮き上がるのを抑えることができる。
【図面の簡単な説明】
【００１３】
【図１】（ａ）は本発明の一実施形態の軒側斜め上方より見た斜視図であり、（ｂ）は（ａ）の側断面図である。
【図２】同上における凹凸屋根パネルの軒側部分の斜視図である。
【図３】同上における先端部材の斜視図である。
【図４】従来例の屋根構造の軒部の側断面図である。
【発明を実施するための形態】
【００１４】
以下、本発明を図１乃至図３に示す実施形態に基いて説明する。本発明においては、図１に示すように、野地板１の上面に凹凸屋根パネル２が設けられて、屋根が構成される。
【００１５】
野地板１は、ボルトや釘が打ち込み可能な材質（主に木材）からなるもので、本実施形態では、軒棟方向Ｄ１に単調に傾斜して配置されている。
【００１６】
凹凸屋根パネル２は、図２に示すように、金属製の板材からなるもので、本実施形態では、平板状をしたガルバニウム鋼板が屈曲されて構成される。凹凸屋根パネル２は、上片２１と、上片２１の軒方向Ｄ２の両側端部から下方に連設される側片２２と、側片２２の下端部から軒方向Ｄ２に連設される底片２３とを備えている。上片２１と側片２２と底片２３はそれぞれ平板状をしているが、厳密な平板状でなくてもよい。また、各上片２１は同一平面上に位置し、各底片２３も同一平面上に位置しているが、厳密な同一平面上に位置していなくてもよい。
【００１７】
上片２１とその軒方向Ｄ２の両側の側片２２とで凸部２４が構成され、底片２３とその軒方向Ｄ２の両側の側片２２とで凹部２５が構成され、凸部２４と凹部２５とが軒方向Ｄ２に交互に形成されている。そして、凸部２４の内部空間が通気空間２０となる。すなわち、凹凸屋根パネル２上に太陽光発電パネル（不図示）が設置される場合があるが、この場合、通気空間が設けられていることで、太陽光発電パネルの冷却が促進され、発電性能が低下するのを抑えることができる。太陽光発電パネルは、太陽光発電素子を備えたパネル本体と、パネル本体を収納するフレームまたはケーシングからなる収納体と、を備えるもので、多くの製品が広く知られていて、特に限定されず、様々な太陽光発電パネルが適宜利用可能である。
【００１８】
凹凸屋根パネル２の軒側（軒棟方向Ｄ１の建物から離れる側で、図１（ａ）、図２、図３における手前側）の端部には、先端部材３が設けられる。先端部材３は、図３に示すように、上覆い片３１と、側覆い片３２と、下覆い片３３と、導水片３４と、を備えるものである。上覆い片３１は、本実施形態では、軒方向Ｄ２の長さが凹凸屋根パネル２の上片２１の軒方向Ｄ２の長さと略同じ（正確には上片２１より若干長い）となるように形成されている。上覆い片３１の軒方向Ｄ２の両側端部から下方に向けてそれぞれ、側覆い片３２が連設されている。側覆い片３２、本実施形態では、上下長さが凹凸屋根パネル２の側片２２の上下長さと略同じとなるように形成されている。側覆い片３２の下端部から軒方向Ｄ２に向けてそれぞれ、下覆い片３３が連設されている。下覆い片３３は、本実施形態では、軒方向Ｄ２の長さが凹凸屋根パネル２の底片２３の軒方向Ｄ２の長さよりも短く形成されているが、底片２３の軒方向Ｄ２の長さと略同じ（正確には底片２３より若干短い）に形成されてもよい。上覆い片３１と側覆い片３２と下覆い片３３の正面視形状は、凹凸屋根パネル２の正面視形状と略同じとなっている。そして、凹凸屋根パネル２と同様に、上覆い片３１とその両側の側覆い片３２とで構成される凸部と、下覆い片３３とその両側の側覆い片３２とで構成される凹部とが軒方向Ｄ２に多数並設されている。
【００１９】
上覆い片３１および下覆い片３３の軒側の端部から、軒側に向けて、導水片３４が突出されている。導水片３４は、上覆い片３１および下覆い片３３に対して、軒側の斜め下方に向けて鈍角をなすように形成される。下覆い片３３の軒側の端部は、上覆い片３１の軒側の端部よりも軒側に位置しており、側覆い片３２の軒側の端部は、下側へ行く程、軒側へ位置するように傾斜している。導水片３４の棟側（軒側の反対側）端部は、上覆い片３１と側覆い片３２と下覆い片３３の軒側の端部と接続されている。上覆い片３１および下覆い片３３と導水片３４との間の角度は、１２０°〜１５０°が好ましく、本実施形態では１５０°である。
【００２０】
導水片３４の先端部は、図１（ｂ）に示すように、下方に折曲されており、端面が露出することによる見栄えの低下およびエッジの形成が回避される。
【００２１】
凹凸屋根パネル２の野地板１への取り付けについて説明する。
【００２２】
図１に示すように、凹凸屋根パネル２は、野地板１上の所定の位置に載置される。本実施形態では、図１（ｂ）に示すように、凹凸屋根パネル２の軒側の端部は、野地板１の軒側の端部よりも軒側に突出しており、突出した部分が出代部２６となっている。この出代部２６の凸部２５内の通気空間が下方に開放されることで、通気空間が大気と連通し、通気による太陽光発電パネルの冷却を可能としている。
【００２３】
野地板１上の所定の位置に載置された凹凸屋根パネル２に、先端部材３が上方より覆い被せられる。この時、上覆い片３１が上片２１の上面を覆い、側覆い片３２が側片２２を覆い、下覆い片３３が底片２３の上面を覆うように装着される。本実施形態では、図１（ｂ）に示すように、先端部材３の上片２１の軒側の端部は、凹凸屋根パネル２の軒側の端部よりも軒側に位置しているが、凹凸屋根パネル２の軒側の端部と軒棟方向Ｄ１において同じ位置であってもよい。導水片３４の出代、すなわち、先端部材３の凹凸屋根パネル２に対する軒棟方向Ｄ１の位置は、軒樋（不図示）が設けられる位置に応じて、適宜調節可能である。
【００２４】
そして、凹凸屋根パネル２に装着された先端部材３の上方より、固着具４が先端部材３および凹凸屋根パネル２を介して野地板１に打ち込まれる。本実施形態の固着具４は、図１（ｂ）に示すように、頭部４１の軸部４２側にパッキン４３を備えたパッキン付きビスである。なお、固着具４として、釘、パッキン付きビスではないビス、ボルトが用いられてもよいし、他の部材も適宜利用可能である。
【００２５】
本実施形態では、図１に示すように、固着具４が、先端部材２の上覆い片２１および凹凸屋根パネル２の上片２１を介して野地板１に打ち込まれている。なお、図１（ａ）の一点鎖線で示すように、固着具４が、先端部材２の下覆い片２３および凹凸屋根パネル２の底片２３を介して野地板１に打ち込まれてもよい。
【００２６】
本発明にあっては、凹凸屋根パネル２の野地板１への固定は、野地板１上に載置された凹凸屋根パネル２に先端部材３が装着され、固着具４が先端部材３および凹凸屋根パネル２を介して野地板１に打ち込まれることで行われる。このため、図４に示す従来例のように、凹凸屋根パネル２の凹部２５毎に形成されている延出片６を、固定部材５に巻き付けるようにして取り付ける必要がない。従って、従来例よりも作業の手間と時間が省かれるものである。
【００２７】
また、上覆い片３１が上片２１の上面を覆い、下覆い片３３が底片２３の上面を覆っており、上片２１や底片２３に上方へ浮き上がる方向に力がかかっても、上覆い片３１や下覆い片３３に押さえられる。このように、凹凸屋根パネル２の凸部２４と凹部２５の軒側の端部が両方とも、先端部材２により押さえられて、凹凸屋根パネル２の軒側の端部が浮き上がり難くなるものである。
【００２８】
また、従来例にあっては、上片２１上や底片２３上を勢い良く流下してきた雨水は、上片２１や底片２３に対して略垂直に垂下する水切り５２を流下せず、上片２１や底片２３の軒側の端部より飛び出して、軒樋内にうまく流れ込まない惧れがあった。
【００２９】
これに対し本実施形態においては、導水片３４が、上覆い片３１および下覆い片３３に対して軒側の斜め下方に鈍角をなすように形成されている。このため、凹凸屋根パネル２の上片２１から上覆い片３１にかけて流下し、底片２３から下覆い片３３にかけて流下する雨水は、勢い良く流下してきても、導水片３４に乗り移って導水片３４上を流れ易くなる。これにより、雨水が上覆い片３１や下覆い片３３の軒側の端部より飛び出して、軒樋内にうまく流れ込まないといったことを起こり難くすることができる。
【符号の説明】
【００３０】
１    野地板
２    凹凸屋根パネル
２０  通気空間
２１  上片
２２  側片
２３  底片
２４  凸部
２５  凹部
２６  出代部
３    先端部材
３１  上覆い片
３２  側覆い片
３３  下覆い片
３４  導水片
４    固着具
４１  頭部
４２  軸部
４３  パッキン
５    固定部材
５１  面戸
５２  水切り
５３  挿通孔
６    延出片
Ｄ１  軒棟方向
Ｄ２  軒方向
【図１】
2014080723.tif 000003
【図２】
2014080723.tif 000004
【図３】
2014080723.tif 000005
【図４】
2014080723.tif 000006